(57)【特許請求の範囲】
【請求項１】
流体製品（P）を分配する容器であって、ポンプ（2）又は点滴器（63）、該容器内に延出するチューブ（5,60）、及び少なくとも一つの磁石（20,70）を有する分配装置を含む容器（3,52）において、前記少なくとも一つの磁石が前記分配装置の上又は内部に、前記少なくとも一つの磁石の磁場が前記チューブの上に集中するように位置していることを特徴とする容器。
【請求項２】
請求項１に記載された容器において、前記分配装置が前記ポンプを含めている容器。
【請求項３】
請求項２に記載された容器において、前記ポンプが前記チューブに接続されている容器。
【請求項４】
請求項３に記載された容器において、前記磁石が前記チューブの上に位置している容器。
【請求項５】
請求項２に記載された容器において、前記磁石が前記チューブを囲う円筒状もしくは棒状磁石、前記チューブの周りに巻かれた磁石、前記チューブを囲う１つもしくは複数のリング磁石、又は前記チューブの上の磁石ストリップである容器。
【請求項６】
請求項３に記載された容器において、前記磁石が前記チューブの上方の前記ポンプの基部に位置している容器。
【請求項７】
請求項３に記載された容器において、前記チューブが磁気材料で形成されている容器。
【請求項８】
請求項５に記載された容器において、前記磁石がリング磁石である容器。
【請求項９】
請求項８に記載された容器において、前記磁石がケーシングの内部に収容されている容器。
【請求項１０】
請求項９に記載された容器において、前記ケーシングが前記チューブの上に摺動自在に配設されている容器。
【請求項１１】
請求項１に記載された容器において、チューブを備えたポンプを具備し、前記チューブにはリング磁石を収容するケーシングが摺動自在に設けられている容器。
【請求項１２】
請求項１１に記載された容器が、流体製品を収容している容器。
【請求項１３】
請求項１２に記載された容器において、前記ケーシングが前記流体の表面上に又は流体の表面の下側に位置している容器。
【請求項１４】
請求項１に記載された容器において、前記分配装置がチューブと吸引手段とを具備する点滴器組立体である容器。
【請求項１５】
請求項１４に記載された容器において、前記磁石が前記点滴器組立体の前記チューブの内部に位置している容器。
【請求項１６】
請求項１５に記載された容器において、前記磁石がコイル又は螺旋の形状となっている容器。
【請求項１７】
請求項１６に記載された容器において、前記磁石には前記点滴器組立体の前記吸引手段の中に延出するワイヤが取付けられている容器。
【請求項１８】
請求項１に記載された容器において、チューブと吸引手段とを備えた点滴器組立体を具備し、コイル又は螺旋形状の磁石が前記チューブの内部に位置し、前記磁石には前記吸引手段の中に延出するワイヤが取付けられている容器。
【発明の詳細な説明】
発明の分野
本発明は磁石を収容する包装に関する。さらに詳細には、本発明は磁石を組込んだ分配装置を有する包装に関する。
発明の背景
磁石によって生じる生物学的効果は最近非常に広く認識されるようになった。磁界にさらすことが様々な異なる型の製品に対しまたこのように磁界にさらされた製品を用いる消費者に対し明確な利点をもたらすことが今や広く容認されている。例えばWO 9503061号は磁石粒子を包含する調製品を開示しており、この調製品は血液の循環を増進しそれにより評判どおりに目標とする組織に対する活性要素の分配を高めるという特別の効果を有している。磁界に露出することはまた食品又は化粧品を保存する効果を有しその中に含まれている材料の腐敗するのを防止するといわれている（JP 5309016）。またこのように処理された化粧品は皮膚に塗られた時皮膚に“再生”作用を生じることができるといわれている（DE 3629761）。したがって当業者は製品の磁界による処理がこの製品と究極の使用者とに有益な効果をもたらすと認識することが明らかである。
所望の露出は種々の異なる機構により行うことができる。例えばこれは製品を製造工程の間磁石に露出することによって達成される（ES 2083331）。しかし、製品を磁界により処理するさらに普通の手段の１つは、１個又は複数の磁石を製品が保管及び／又は販売される包装の中に組入れることである。例えば、包装が取外し自在の磁石又は磁化装置を有することができる（CN 1094685）。しかし、さらに一般的には、包装が容器の壁の中に組込まれ又は容器の表面に恒久的に固定された１つ又は複数の磁石を有することができる（例えば、WO 9709249，BR 9104783，JP 3176381，US 5297694，FR 2649959，DE 3634121）。しかし、このような装置の欠点の１つは、包装の所定位置に固定された磁石では、製品が磁界に対し連続して及び／又は均一に露出されず、製品の磁化が潜在的に不十分となることである。例えば、磁石が容器の内壁上又は内壁の内部の固定された位置に置かれた場合には包装の中の製品の量が使用されて行くにつれて、その高さが降下し、そして実際に製品が磁石に効果的に露出される点より下方に降下するようになる。さらに、その壁に埋め込まれ又ははり付けられた磁石を含む容器は幾分か扱いにくいものとなり、またそのため標準のプラスチック又はガラスのジャーや瓶の製造よりも製造工程が高価となる。したがって製品の磁界に対する不変の、強い露出がもたらされまた同時に簡単で安価に製造することのできる磁性包装が依然として必要とされる。本発明はこのような包装を提供するものである。
発明の概要
本発明は流体製品を保持する容器に関し、この容器は磁気材料を有する分配装置を具備し、磁気材料は分配装置上に又は分配装置の内部に位置している。容器の中の製品に関し、分配装置の作動時、この製品は現実の分配の直前に磁石を通って又は磁石を越えて取出され、消費者による実際の使用にできるだけ接近した時間に所望の磁界に露出される。本発明の容器は化粧品、薬物、農業及び工業用化学薬品、及び食料品を含むがこれに限らない種々の製品に、磁気エネルギーを与えるのに用いることができる。
図面の簡単な記載
図１は浮遊ボールの中に入れられた磁石がポンプの浸漬チューブと組合された本発明の容器を示す。
図２は図１の浮遊ボールの頂面図を示す。
図３は図２の断面Ａ−Ａの切断側面図を示す。
図４は浮遊ボールとその磁石の分解図を示す。
図５は囲まれた磁石を有しない浮遊ボールの半分の頂面図を示す。
図６は図５の断面Ａ−Ａの切断側面図を示す。
図７は磁石が点滴器組立体のチューブに挿入されている本発明の容器を示す。
図８は図７の点滴器組立体の内面図を示す。
発明の詳細な記載
本発明の容器において、磁石が包装体の分配装置上に又は分配装置の中に位置しそれにより処理されるべき製品が容器を出るとき磁石の上を又は磁石を通って流れるようにする。この配置構造は、磁界を集中させるとともにまた流体製品が容器から取出されるときに磁石と密接に接触し、それにより使用の直前に磁気エネルギーに最適にさらされるようにするという利点を有する。これは、流体の磁石との接触が磁石の位置によって制限されるような容器の壁の上又はその中の固定された位置にある磁石の使用に伴う問題をなくする。
この分配装置は任意の型とすることができ、磁石は、その位置決めにより分配される流体が包装を出る直前に磁石と接触することができるならば、装置のどの位置にも置くことができる。例えば、ポンプ型の分配装置を有する容器においては、磁石はポンプの浸漬チューブに近接して又は浸漬チューブ上に直接位置させることができる。浸漬チューブ上では、磁石は多数の異なった形状とすることができ、以下のものに限らないが、浸漬チューブを取巻く円筒状もしくは棒状磁石、浸漬チューブの周りに巻かれた磁石、浸漬チューブの直上のポンプの基部の周りのワッシャーもしくはリング磁石、浸漬チューブを直接取巻くリング磁石、浸漬チューブ上の磁気ストリップ、又はそれ自体が磁性金属から形成された浸漬チューブを含んでいる。上記の実施例からわかるように、ある形状では、磁石は容器内部の流体の中に完全に浸漬させることもできる。
もう１つの実施態様においては、容器は分配装置としてろ過カップを有するものである。この場合、磁石はろ過カップの基部から吊り下げられ又は基部に取付けられ、容器内の流体の中に下方に延びている。この型の分配器にとって適当な形状は、円錐形磁石、磁石ボール、ろ過カップに取付けられた桿から吊り下げられたリングもしくはフープ、馬蹄形磁石、又は矩形のへら磁石もしくは矩形棒磁石である。
第３の実施態様では、分配装置は点滴器組立体である。この例では、磁石はこれに限定されないが、点滴器自体の内部に吊り下げられた桿、棒、コイル又はらせんを含む任意の便利な形状とすることができる。磁石は点滴器組立体に取付けられ又は点滴器のチューブの内部に単に浮かべることができる。
上記実施態様のいずれにおいても、磁石は重合体の層で被覆され又は包まれ磁石の金属と容器の流体内容物との間の望ましくない相互作用をなくすようにする。このような被覆は磁石が実際に流体製品の中に浸漬される実施態様では特に重要である。この被覆は広い範囲で選択され流体製品に適合できるようにする。広範囲の製品に適合できる被覆の例は、これに限られないがPVC，PET、ポリエステル、SANもしくはビニールを含んでいる。しかし保護効果をもたらすのに加えて、この被覆はまた機能的な利点を提供することができる。例えば、浸漬チューブ磁石の実施態様では、プラスチック被膜は膨張され磁石を取巻く“浮き”の形式とすることができる。このような構造の詳細は実施例１で与えられる。要約すると、プラスチックのケーシングが実質的に中空のボール又は立方体の形式をとり、中央の穴が浸漬チューブの上に嵌まることができ、凹所が１つ又は複数の磁石を保持するようになっている。容器の所定位置で、この浮きは浸漬チューブ上に摺動自在に配設され、容器の中の流体の表面に又はその直下で浮くことができるようにしまた容器の中の流体の液面が下がるにつれてチューブを下降することができるようにする。このようにして、流体がチューブを通って出て行くにつれて磁石に接触するだけでなく、また磁石もポンプが使用されない時常に流体と直接接触するが、それはこの磁石の高さが流体の液面と共に低くなるからである。
任意の磁気材料を本発明における磁石として用いることができる。有用な磁気材料の例はこれに限らないが、鉄、アルミニウム、ニッケル、又はコバルト混合物もしくはその組合せ、又はセラミック磁石を含んでいる。磁石の強さは当該製品の磁化可能材料の度合に適合するよう変えることができる。
本発明は、任意の形状の、磁気エネルギーの付与から有利な流体製品を担持するようになっている任意の容器に適用することができる。“流体”製品はその粘性が十分に低くポンプ又は点滴器のような分配装置を通って取出すことのできる任意の製品を意味し、したがって、これは水とクリーム又はローションのような製品との粘性を有する流体材料を包含する。製品は水性、無水、油中水又は水中油とすることができる。必要なことは磁化可能成分を含んでいなければならないということだけである。したがって、脱イオン水又は蒸留水の使用は勧められない。
特に好ましい実施態様では、本発明の容器は化粧製品のために用いられる。上記のように、製品の磁化は保存効果をもたらすことができ、またそのため実質上いかなる型の製品にも有用であるが、特別の利点は皮膚に塗布される製品の処理に見られる。皮膚に用いる前の磁界に対する水又は水を含む化粧品の露出は、このように処理された水又は化粧品の湿潤特性を、製品が脂の多い又はねばっこい感じとなる湿潤剤をさらに加えることなく、向上させることがわかった。したがって、化粧品の分配装置における磁石の存在は、化粧品の湿潤特性を製剤形態の複雑性を増すことなく高めることのできる手段を提供する。この化粧品は任意の型とすることができ、例えば湿潤剤、皮膚安静剤、洗浄剤、しわ処理剤、日よけ剤、自己なめし剤、その他のようなトリートメント製品又はファンデーション、隠ぺい剤、アイシャドー、ブラッシ、もしくはリップ製品のような、メイキャップ製品とすることができる。本発明はさらに以下の限定されない実施例を参照することによりさらに理解されるであろう。
実施例
実施例１
この実施例はポンプの浸漬チューブ上に置かれた磁石を有するポンプを備えた容器を記載する。
図面を参照すると、図１は容器の分配部分がポンプ２である完全包装を示す。容器は製品Ｐを収容するようになっている。容器は開口を備えた頸４を有し、前記開口は製品Ｐに接近できるようにする。頸にはその外面に沿ってポンプを容器に固定する手段が設けられる。ポンプを容器に固定するのに用いられる手段は多数あり従来技術では周知である。このような手段は対向するねじ部、突起型係合、弾性嵌合係合、ひだ付け係合、その他を含んでいる。
本発明において用いるよう意図されたポンプ２は製品を分配するための浸漬チューブ５を用いる任意の標準型のポンプとすることができる。このようなポンプは例えばPfeiffer of America，（Priuceton, NJ）から入手可能である。本発明の浸漬チューブ５はポンプ２から頸を通って容器３の中へと延びる中空チューブである。浸漬チューブはポンプを製品Ｐに接続しそれにより製品が容易に分配できるようにする作用をする。
浸漬チューブ５の周りにケーシング10が摺動自在に配設される。ケーシングは容器の内部の製品の液面上に又は液面の直ぐ下に浮かぶようになっている。換言すれば、容器３を見た時、ケーシング10は製品Ｐの頂上に見られ、そしてケーシングは浸漬チューブ５の周りに摺動自在に設けられているため、ケーシング10は製品の液面が消費者の使用によって降下するにつれて浸漬チューブの長手方向軸線に沿って摺動するようになる。ケーシング10が製品の頂上に浮かび浸漬チューブ５に沿って摺動できるようにするため、ケーシングは図２から３に見られるように、中央の穴12を有する中空物品として成形され、前記穴12はその一端部がケーシング10の外側表面14に係合する壁13を有し、それによりケーシング内部に絶縁された内室15が形成されるようにする。
ケーシング10の内室15の内部に１つ又は複数の磁石20が嵌められる。内壁15は磁石20を収容しそれにより磁石が製品Ｐとは接触しないようになっている。ある場合には、製品が磁石とは適合せずこの両者の間の接触が製品又は磁石を劣化させることがあるため、磁石を製品から絶縁することが重要となる。
磁石20をケーシング10の内室15の内部に置くため、ケーシング10は２つの半割り体21と21′に形成される。ケーシングの各半割り体は外面25及び25′と中央に位置するハブ26及び26′とを有し、各ハブ26と26′はこれを貫通する軸方向の穴27と27′を有している。各ハブ26と26′の内端部28と28′に凹所30と30′が設けられる。凹所30と30′は磁石20をケーシング10の内部に固定するようになっている。例えば、磁石20が“Ｏ”形である時ハブの内端28と28′には磁石20の中央穴23を図３に見られるように前記凹所の周りに嵌める凹所が設けられる。
内部に磁石20を収容しているケーシング10を組立てるため、最初ケーシング10の２つの半割り体21と21′がSAN又はポリエステルのような適当な材料で成形される。次に、磁石20が凹所30又は30′に置かれそれからケーシング10の２つの半割り体21と21′が一緒にシールされ、それにより磁石20をケーシング10の内室の中に閉じ込める。ケーシング10の２つの半割り体21と21′は超音波シール、摩擦、接着、又は弾性嵌合のような任意の適当な方法により相互に接合される。図４は超音波シールにより相互に接合されるよう用意された２つの半割り体21と21′を示す。この方法に関し、ケーシング半割り体の一方にはシール用ビード40が設けられる。
ケーシング10の２つの半割り体21と21′が相互に接合されると、軸穴27及び27′と各中央のハブ26及び26′とが合体しケーシング10の中央穴12と壁13とをそれぞれ形成する。次に、ケーシング10が、容器が充填された後に容器の中に挿入されるポンプ２の浸漬チューブ５の上に置かれる。
ケーシング10の内部で用いられる磁石20は、製品Ｐが浸漬チューブ５を通って流れるとき磁界が浸漬チューブに集中し、したがってまた製品Ｐに集中するようになっている。この目的にとって有用な磁石は焼結されたアルニコ５磁石（82ガウス；Dexter Magnetic Materials Division, Hicksville, New York）である。好ましくは磁石は“Ｏ”字形又は“ドーナッツ”形でありそれにより磁石が容易にケーシングの内部で凹所の周りに置かれるようにする。また、磁石はケーシングの外表面が製品と接触しているため、磁界を容器の中の製品の中に放出する。
実施例２
本発明の他の実施態様が図７に示されている。この実施態様において容器の分配部分は点滴器組立体50である。製品Ｐを収容する容器52が設けられる。この容器は開口を有する頸53を有し、前記開口は製品Ｐに接近できるようにする。頸53には外面に沿って点滴器組立体50を容器52に固定する手段が設けられる。点滴器組立体を容器52に固定するのに用いられる手段は典型的には対向するねじであるが、点滴器を容器に配置しまた容器から取出すことのできる任意の他の手段を用いることができ、このような手段は当該技術では公知である。
図８に見られるように、本発明で用いる点滴器組立体50は第１の開口端61と第２の開口端62とを有するチューブからなり、前記開口端の一方には吸引手段63が設けられている。この吸引手段は可撓性のふくらんだ端部キャップ、可撓性ベローズ又は圧搾することのできる任意の他の可撓性のプラスチックもしくはエラストマー片のようなものを含むことができる。図８において、吸引手段は球体である。
チューブの内部に磁石70が置かれる。図８に示される実施態様では、磁石70はコイルの形状となっているが、例えば自由のボール又はロッドとすることもできる。その最も簡単な実施態様では、磁石70は単に点滴器チューブ60の中に置かれ点滴器50への特別の取付け部を有していない。製品が取出される時コイルが球体の中に吸込まれないようにするため、点滴器の球体63の部分に近いコイルの端部に球体63の中に延出するワイヤ71が取付けられている。
【図１】
0004049340.tif 000002
【図２】
0004049340.tif 000003
【図３】
0004049340.tif 000004
【図４】
0004049340.tif 000005
【図５】
0004049340.tif 000006
【図６】
0004049340.tif 000007
【図７】
0004049340.tif 000008
【図８】
0004049340.tif 000009